(57)【要約】      （修正有）【課題】ユーザーを理想的な処理フローに導くための表示制御方法を提供する。【解決手段】表示制御方法は、二つ以上の処理を共通の表示部において指示可能なシステムにおいて適用され、操作受付ステップと、閾値設定ステップと、表示切り替えステップとを有する。操作受付ステップは、各処理を利用するための画面の表示を切り替えるための操作を受け付ける。閾値設定ステップは、画面の表示を切り替えるか否かを操作の程度により判断するための閾値を、処理の進行に応じて設定する。表示切り替えステップは、操作受付ステップにおいて受け付けられた操作の程度が閾値により定められる基準を満たすと画面の表示を切り替える。【選択図】図６
2016224726.tif 000002
【特許請求の範囲】
【請求項１】
二つ以上の処理を共通の表示部において指示可能なシステムにおいて適用される表示制御方法であって、
各処理を利用するための画面の表示を切り替えるための操作を受け付ける操作受付ステップと、
前記画面の表示を切り替えるか否かを前記操作の程度により判断するための閾値を、前記処理の進行に応じて設定する閾値設定ステップと、
前記操作受付ステップにおいて受け付けられた前記操作の程度が前記閾値により定められる基準を満たすと前記画面の表示を切り替える表示切り替えステップと、
を有する表示制御方法。
【請求項２】
前記閾値設定ステップは、一の処理を利用するための画面を他の処理を利用するための画面に切り替える際の前記閾値を、前記一の処理を利用する前よりも、前記一の処理を利用した後の方が、画面が切り替わりやすくなるように変更する請求項１に記載の表示制御方法。
【請求項３】
前記閾値の変更をユーザーから受け付ける閾値受付ステップをさらに有する請求項１または請求項２に記載の表示制御方法。
【請求項４】
前記表示切り替えステップにおける前記画面の切り替えに応じて、切り替え後の画面により利用される処理を行う装置の駆動状態を変更する駆動状態変更ステップをさらに有する請求項１〜３のいずれか一項に記載の表示制御方法。
【請求項５】
前記駆動状態変更ステップは、前記画面の切り替えから所定の時間が経過した後に前記装置の駆動状態を変更する請求項４に記載の表示制御方法。
【請求項６】
前記処理の進行に応じて前記所定の時間を設定する時間設定ステップをさらに有する請求項５に記載の表示制御方法。
【請求項７】
前記所定の時間の変更をユーザーから受け付ける時間受付ステップをさらに有する請求項５または請求項６に記載の表示制御方法。
【請求項８】
前記時間設定ステップは、切り替え前の画面により利用される処理を行う前よりも、切り替え前の画面により利用される処理を行った後の方が、前記所定の時間が短くなるように設定する請求項６または請求項７に記載の表示制御方法。
【請求項９】
前記時間設定ステップは、切り替え前の画面により利用される処理を行う前よりも、切り替え前の画面により利用される処理を行った後の方が、前記所定の時間が長くなるように設定する請求項６または請求項７に記載の表示制御方法。
【請求項１０】
前記画面の切り替えは、前記表示部において各画面が占有する面積を変更すること、各画面における操作の受け付け可否を変更すること、特定の画面に強調表示を行うこと、特定の画面における明度を変更すること、および特定の画面と他の画面との相対的な位置関係を変更すること、のうち少なくとも一つを含む請求項１〜９のいずれか一項に記載の表示制御方法。
【請求項１１】
前記操作は、タッチパネルへのタッチ入力またはフリック入力による操作、視線による操作、音声による操作、モーションキャプチャによる操作、ハードウェアキーによる操作、および外部の電子機器との通信による操作、のうち少なくとも一つを含む請求項１〜１０のいずれか一項に記載の表示制御方法。
【請求項１２】
前記表示切り替えステップは、一の処理を利用するための画面を通常時の表示画面として、他の処理を利用するための画面が表示された状態で一定時間処理が行われなかった場合、前記一の処理を利用するための画面に切り替える請求項１〜１１のいずれか一項に記載の表示制御方法。
【請求項１３】
請求項１〜１２のいずれか一項に記載の表示制御方法を、コンピューターに実行させる表示制御プログラム。
【請求項１４】
二つ以上の処理を共通の表示部において指示可能なシステムを制御するために使用される表示制御装置であって、
各処理を利用するための画面の表示を切り替えるための操作を受け付ける操作受付部と、
前記画面の表示を切り替えるか否かを前記操作の程度により判断するための閾値を、前記処理の進行に応じて設定する閾値設定部と、
前記操作受付部によって受け付けられた前記操作の程度が前記閾値により定められる基準を満たすと前記画面の表示を切り替える表示切り替え部と、
を有する表示制御装置。
【発明の詳細な説明】
【技術分野】
【０００１】
本発明は、表示制御方法、表示制御プログラムおよび表示制御装置に関する。
【背景技術】
【０００２】
一つの電子機器において複数の処理を行う技術や、複数の電子機器を一つのシステムとして組み合わせて複数の処理を行う技術が知られている。このような技術においては、操作性の向上や部材の削減等の観点から、それぞれの処理を利用するための画面を一つの共通の表示部に表示して複数の処理を制御することが提案されている（特許文献１参照）。
【０００３】
特許文献１記載の技術では、ユーザーは、表示部のメニュー画面に並べて表示された各処理に対応するボタンの中から、実行したい処理のボタンを押下する。これにより、表示される画面が各処理を利用するための画面に切り替わり、ユーザーはこの画面を介して各処理を実行できる。このように、各処理を利用するための画面の表示を切り替える操作がボタンの押下という一律の操作であるため、ユーザーは簡単に各処理を選択して利用できる。
【先行技術文献】
【特許文献】
【０００４】
【特許文献１】特開２０１４−８９４９３号公報
【発明の概要】
【発明が解決しようとする課題】
【０００５】
しかしながら、上記のように複数の処理を行う装置では、ユーザーの趣向や開発者の意図、販売者の戦略上の理由等により、各処理を利用するための画面の表示を切り替える操作が、全てのケースにおいて一律でないことが望まれる場合がある。たとえば、開発者の意向や販売者の戦略として、特定の順序に従って各処理を行った場合に優れた効果が発揮されるため、ある処理を完了させてから別の処理を行うような処理フローにユーザーを誘導したいという場合である。しかし、上記特許文献１記載の技術では、ユーザーは何ら誘導なく一律の操作によって自由に各処理を選択できる。そのため、ユーザーが望ましくない順序で処理を進めてしまったり、開発者や販売者が意図する処理の流れから外れて処理を進めてしまったりするという問題がある。
【０００６】
本発明は、上記事情に鑑みてなされたものであり、複数の処理を行う装置において各処理の画面を切り替える操作を一律でなくして、ユーザーを理想的な処理フローに導くための表示制御方法、表示制御プログラムおよび表示制御装置を提供することを目的とする。
【課題を解決するための手段】
【０００７】
上記目的は、下記の手段によって達成される。
【０００８】
（１）二つ以上の処理を共通の表示部において指示可能なシステムにおいて適用される表示制御方法であって、各処理を利用するための画面の表示を切り替えるための操作を受け付ける操作受付ステップと、前記画面の表示を切り替えるか否かを前記操作の程度により判断するための閾値を、前記処理の進行に応じて設定する閾値設定ステップと、前記操作受付ステップにおいて受け付けられた前記操作の程度が前記閾値により定められる基準を満たすと前記画面の表示を切り替える表示切り替えステップと、を有する表示制御方法。
【０００９】
（２）前記閾値設定ステップは、一の処理を利用するための画面を他の処理を利用するための画面に切り替える際の前記閾値を、前記一の処理を利用する前よりも、前記一の処理を利用した後の方が、画面が切り替わりやすくなるように変更する上記（１）に記載の表示制御方法。
【００１０】
（３）前記閾値の変更をユーザーから受け付ける閾値受付ステップをさらに有する上記（１）または（２）に記載の表示制御方法。
【００１１】
（４）前記表示切り替えステップにおける前記画面の切り替えに応じて、切り替え後の画面により利用される処理を行う装置の駆動状態を変更する駆動状態変更ステップをさらに有する上記（１）〜（３）のいずれか一つに記載の表示制御方法。
【００１２】
（５）前記駆動状態変更ステップは、前記画面の切り替えから所定の時間が経過した後に前記装置の駆動状態を変更する上記（４）に記載の表示制御方法。
【００１３】
（６）前記処理の進行に応じて前記所定の時間を設定する時間設定ステップをさらに有する上記（５）に記載の表示制御方法。
【００１４】
（７）前記所定の時間の変更をユーザーから受け付ける時間受付ステップをさらに有する上記（５）または（６）に記載の表示制御方法。
【００１５】
（８）前記時間設定ステップは、切り替え前の画面により利用される処理を行う前よりも、切り替え前の画面により利用される処理を行った後の方が、前記所定の時間が短くなるように設定する上記（６）または（７）に記載の表示制御方法。
【００１６】
（９）前記時間設定ステップは、切り替え前の画面により利用される処理を行う前よりも、切り替え前の画面により利用される処理を行った後の方が、前記所定の時間が長くなるように設定する請求項（６）または（７）に記載の表示制御方法。
【００１７】
（１０）前記画面の切り替えは、前記表示部において各画面が占有する面積を変更すること、各画面における操作の受け付け可否を変更すること、特定の画面に強調表示を行うこと、特定の画面における明度を変更すること、および特定の画面と他の画面との相対的な位置関係を変更すること、のうち少なくとも一つを含む上記（１）〜（９）のいずれか一つに記載の表示制御方法。
【００１８】
（１１）前記操作は、タッチパネルへのタッチ入力またはフリック入力による操作、視線による操作、音声による操作、モーションキャプチャによる操作、ハードウェアキーによる操作、および外部の電子機器との通信による操作、のうち少なくとも一つを含む上記（１）〜（１０）のいずれか一つに記載の表示制御方法。
【００１９】
（１２）前記表示切り替えステップは、一の処理を利用するための画面を通常時の表示画面として、他の処理を利用するための画面が表示された状態で一定時間処理が行われなかった場合、前記一の処理を利用するための画面に切り替える上記（１）〜（１１）のいずれか一つに記載の表示制御方法。
【００２０】
（１３）上記（１）〜（１２）のいずれか一つに記載の表示制御方法を、コンピューターに実行させる表示制御プログラム。
【００２１】
（１４）二つ以上の処理を共通の表示部において指示可能なシステムを制御するために使用される表示制御装置であって、各処理を利用するための画面の表示を切り替えるための操作を受け付ける操作受付部と、前記画面の表示を切り替えるか否かを前記操作の程度により判断するための閾値を、前記処理の進行に応じて設定する閾値設定部と、前記操作受付部によって受け付けられた前記操作の程度が前記閾値により定められる基準を満たすと前記画面の表示を切り替える表示切り替え部と、を有する表示制御装置。
【発明の効果】
【００２２】
本実施形態の表示システムによれば、操作の程度によって画面の表示を切り替えるか否かを判断するための閾値を、処理の進行に応じて設定し、操作の程度が閾値を超えると画面の表示を切り替える。これにより、複数の処理を行う装置において、各処理を利用するための画面を切り替える操作を一律でなくすることができ、ユーザーを理想的な処理フローに導くことができる。
【図面の簡単な説明】
【００２３】
【図１】第１実施形態に係る表示システムの概略構成を示す図である。
【図２】図１に示される自動販売機のハードウェア構成を示すブロック図である。
【図３】図１に示される画像形成装置のハードウェア構成を示すブロック図である。
【図４】画面表示の切り替え方法の一例を説明するための図である。
【図５Ａ】表示システムにおいて実行される表示制御処理の手順を示すフローチャートである。
【図５Ｂ】図５Ａに続くフローチャートである。
【図６】閾値変更処理の一例を説明するための図である。
【図７】起動時間変更処理の一例を説明するための図である。
【図８】起動時間変更処理の他の例を説明するための図である。
【図９】画面表示の切り替え方法の他の例を説明するための図である。
【図１０】画面表示の切り替え方法の他の例を説明するための図である。
【図１１】画面表示の切り替え方法の他の例を説明するための図である。
【図１２】画面表示の切り替え方法の他の例を説明するための図である。
【図１３】第２実施形態に係る表示システムのハードウェア構成を示すブロック図である。
【図１４】図１３に示される画像形成装置の機能構成を示すブロック図である。
【発明を実施するための形態】
【００２４】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２５】
＜第１実施形態＞
図１は、本発明の第１実施形態に係る表示システムの概略構成を示す図である。図２は、図１に示される自動販売機のハードウェア構成を示すブロック図である。図３は、図１に示される画像形成装置のハードウェア構成を示すブロック図である。
【００２６】
図１に示すように、表示システムは、画像形成装置１１０および自動販売機１２０を有する。画像形成装置１１０は、自動販売機１２０の筐体に組み込まれ、自動販売機１２０と相互に通信する。本実施形態では、自動販売機１２０は、ユーザーからの指示等に基づいてシステム全体を制御する主装置である。また、画像形成装置１１０は、主装置である自動販売機１２０からの指示に従って従属的に動作する従装置である。以下、各構成について説明する。
【００２７】
＜画像形成装置１１０＞
図２に示すように、画像形成装置１１０は、制御部１１１、記憶部１１２、画像読取部１１３、画像形成部１１４、認証部１１５および通信部１１６を備えており、これらは信号をやり取りするためのバスを介して相互に接続されている。
【００２８】
制御部１１１は、ＣＰＵ（Ｃｅｎｔｒａｌ  Ｐｒｏｃｅｓｓｉｎｇ  Ｕｎｉｔ）であり、記憶部１１２に格納されるプログラムに従って画像形成装置１１０の上記各部の制御や各種演算処理を行う。
【００２９】
記憶部１１２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを格納するハードディスク等からなる。
【００３０】
画像読取部１１３は、紙媒体等に表現された原稿画像から画像データを生成するための装置であり、ＣＣＤ（Ｃｈａｒｇｅ  Ｃｏｕｐｌｅｄ  Ｄｅｖｉｃｅ）画像センサー等の撮像装置を備えている。画像読取部１１３は、原稿画像に蛍光ランプ等の光源から光を照射し、その反射光を撮像装置で光電変換し、得られた電気信号から画像データを生成する。
【００３１】
画像形成部１１４は、いわゆる電子写真方式やインクジェット方式等の周知の作像プロセスを用いて、画像データに基づく画像を用紙等の記録材上に形成する。
【００３２】
認証部１１５は、たとえば、ＮＦＣ（Ｎｅａｒ  Ｆｉｅｌｄ  Ｃｏｍｍｕｎｉｃａｔｉｏｎ）等の近距離無線通信の規格に準拠したカードリーダー等を備え、ユーザーが所持するカードから情報を読み取ることによりユーザーの個人情報を識別する機能を有する。また、認証部１１５は、記憶部１１２に格納された認証用プログラムと連動し、ユーザーの個人情報を認証用のサーバー等に送信してユーザー認証やアクセス管理等の処理を行うこともできる。
【００３３】
通信部１１６は、有線または無線により他の機器と通信するためインターフェースである。通信部１１６は、自動販売機１２０との間で、装置の制御に関する指示や設定値等、各種情報の送受信を行う。
【００３４】
本実施形態では、画像形成装置１１０は自動販売機１２０の筐体に組み込まれている。そのため、画像形成装置１１０自体は、ユーザーの操作を受け付ける操作部や、操作用の画面を表示する表示部を有していない。画像形成装置１１０の操作は、自動販売機１２０に表示される画面等を介して行われる。画像形成装置１１０の制御部１１１は、通信部１１６を介して自動販売機１２０から送信される指示を受け付け、受け付けた指示に基づいて画像形成装置１１０の制御を行う。
【００３５】
＜自動販売機１２０＞
図３に示すように、自動販売機１２０は、制御部１２１、記憶部１２２、貯蔵部１２３、加熱冷却部１２４、操作表示部１２５および通信部１２６を備えており、これらは信号をやり取りするためのバスを介して相互に接続されている。なお、自動販売機１２０の記憶部１２２および通信部１２６は、画像形成装置１１０の記憶部１１２および通信部１１６と同様の機能を有するので、重複を避けるためその説明を省略する。
【００３６】
制御部１２１は、ＣＰＵであり、記憶部１２２に格納されるプログラムに従って自動販売機１２０の上記各部の制御や各種演算処理を行う。また、制御部１２１は、通信部１２６を介して画像形成装置１１０の制御部１１１と通信し、画像形成装置１１０を制御するための各種指示や設定値等を送信する。また、制御部１２１は、表示制御装置として、操作表示部１２５に各種画面を表示させると共に、表示される画面の切り替えを制御する。
【００３７】
記憶部１２２は、予め各種プログラムや各種データを格納しておくＲＯＭ、作業領域として一時的にプログラムやデータを記憶するＲＡＭ、各種プログラムや各種データを格納するハードディスク等からなる。また、記憶部１２２には、画面の表示を切り替えるか否かを操作の程度により判断するための閾値が記憶される。さらに、記憶部１２２には、画面が切り替わってから切り替え先の画面により利用される装置を起動させるまでのウェイト時間である起動時間も記憶される。記憶部１２２に記憶される閾値や起動時間の値は、ユーザーやシステムの管理者等が適切な値を適宜選択することができる。
【００３８】
貯蔵部１２３は、自動販売機１２０において販売される商品を蓄え、制御部１２１からの指示に基づいて蓄えた商品を排出する。
【００３９】
加熱冷却部１２４は、貯蔵部１２３対してそれぞれ熱接触する加熱部および冷却部を有し、貯蔵部１２３に蓄えられた商品を加熱または冷却する。
【００４０】
操作表示部１２５は、たとえば、タッチパネル式のディスプレイであり、各種情報を表示すると共に、ユーザーからの各種入力を受け付ける。操作表示部１２５には、自動販売機１２０を制御するための画面に加えて、画像形成装置１１０を制御するための画面も表示される。たとえば、操作表示部１２５に画像形成装置１１０を制御するための画面が表示された状態で、ユーザーから起動や停止等の指示が受け付けられると、自動販売機１２０の制御部１２１は、受け付けた指示を画像形成装置１１０に送信する。画像形成装置１１０の制御部１１１は、自動販売機１２０から受信した指示に基づいて画像形成装置１１０を制御する。したがって、ユーザーは、自動販売機１２０の操作表示部１２５を用いて画像形成装置１１０に指示を与え、画像形成装置１１０を操作できる。
【００４１】
本実施形態では、自動販売機１２０は、操作表示部１２５において自動販売機１２０を制御するための画面と、画像形成装置１１０を制御するための画面との表示を切り替えるための操作を受け付ける。画面の表示を切り替えるための操作として、たとえば、タッチパネルにおけるフリック操作が使用される。フリック操作は、タッチパネルにおいて、タッチした部位を一定距離スライドさせる操作である。表示を切り替えるか否かの判断は、表示を切り替えるための操作の程度が、所定の閾値により定められる基準を満たすか否かを判断することによって行われる。操作の程度としては、たとえば表示を切り替えるための操作がフリック操作である場合、フリック操作においてタッチ部位をスライドさせるスライド距離等が使用される。閾値により定められる基準としては、たとえば操作の程度が閾値より大きいことや、閾値より小さいこと等が考えられ、本実施形態では、フリック操作のスライド距離が所定の閾値よりも大きい場合に、画面の表示を切り替える。画面表示の切り替えについて、詳細は後述する。
【００４２】
なお、画像形成装置１１０および自動販売機１２０は、それぞれ、上記の構成要素以外の構成要素を含んでいてもよく、あるいは、上記の構成要素のうちの一部が含まれていなくてもよい。
【００４３】
＜操作表示部１２５における画面表示の切り替え＞
図４は、画面表示の切り替え方法の一例を説明するための図である。
【００４４】
図４（ａ）に示すように、操作表示部１２５には、自動販売機１２０を利用するための画面が表示されている。ユーザーはこの画面においてボタンのタッチ等の操作を行うことにより自動販売機１２０の各機能を利用することができる。
【００４５】
図４（ａ）の画面が表示されている状態で、たとえば、図中の右から左に向けてフリック操作が行われると、図４（ｂ）に示すように、自動販売機１２０を利用するための画面が左にスライドし、画像形成装置１１０を利用するための画面が右からスライドして現れる。フリック操作におけるスライドの距離や速度等が所定の閾値を超えている場合は、図４（ｂ）に示す画面から図４（ｃ）に示す画面に遷移し、操作表示部１２５に画像形成装置１１０を利用するための画面が表示される。これにより、図４（ａ）の画面から図４（ｃ）の画面に、表示が切り替えられる。一方、フリック操作におけるスライドの距離や速度等が所定の閾値を超えていない場合は、図４（ｂ）の画面から図４（ａ）の画面に戻ったり、あるいは図４（ａ）の画面が表示されたままとなったりして、図４（ｃ）の画面に遷移しない。すなわち、画面の表示が切り替えられない。
【００４６】
＜表示システムにおける表示制御処理の概要＞
図５Ａは、表示システムにおいて実行される表示制御処理の手順を示すフローチャートである。図５Ｂは、図５Ａに続くフローチャートである。図５Ａおよび図５Ｂのフローチャートに示されるアルゴリズムは、画像形成装置１１０の記憶部１１２または自動販売機１２０の記憶部１２２にプログラムとして記憶されており、各装置の制御部によって実行される。図５Ａに示される処理は、自動販売機１２０を利用するための画面が表示されている間に実行される処理であり、図５Ｂに示される処理は、画像形成装置１１０を利用するための画面が表示されている間に実行される処理である。図５Ａおよび図５Ｂの、「主」は本実施形態の主装置である自動販売機１２０に対応し、「従」は本実施形態の従装置である画像形成装置１１０に対応する。
【００４７】
本実施形態では、ユーザーが自動販売機１２０を利用した後に、画像形成装置１１０を利用するような処理の流れを、理想的な処理フローとして説明する。
【００４８】
図５Ａに示すように、主装置である自動販売機１２０への電源投入等によって、自動販売機１２０は起動状態となる（ステップＳ１０１）。自動販売機１２０の操作表示部１２５には、自動販売機１２０を利用するための画面が表示される。自動販売機１２０は、起動状態となっている間は、操作表示部１２５において画面の表示を切り替えるための操作を常時受け付け可能である。本実施形態では、画面の表示を切り替えるための操作として、フリック操作を用いる場合を例に挙げて説明する。
【００４９】
続いて、自動販売機１２０は、画面の表示を切り替えるための操作の程度が、第１閾値よりも大きいか否かを判断する（ステップＳ１０２）。具体的には、自動販売機１２０の制御部１２１は、操作表示部１２５において受け付けられたフリック操作の程度を示す値が、記憶部１２２に予め記憶された第１閾値よりも大きいか否かを判断する。フリック操作の程度を示す値としては、たとえば、フリック操作におけるスライドの距離が使用される。フリック操作におけるスライドの距離が第１閾値よりも長い場合、操作の程度が第１閾値よりも大きいと判断され、スライドの距離が第１閾値以下の場合、操作の程度が第１閾値よりも大きくないと判断される。
【００５０】
操作の程度が第１閾値よりも大きい場合（ステップＳ１０２：ＹＥＳ）、自動販売機１２０は、操作表示部１２５の画面の表示を切り替える（ステップＳ１０３）。具体的には、図４に示すように、自動販売機１２０の制御部１２１は、表示切り替え部として、操作表示部１２５に表示される画面を、自動販売機１２０を利用するための画面から画像形成装置１１０を利用するための画面に切り替える。なお、本実施形態では、画像形成装置１１０を利用するための画面は、自動販売機１２０の制御部１２１により提供される。これにより、画面の切り替えを迅速に行うことができる。その結果、画像形成装置１１０が起動状態になっていなくても、自動販売機１２０を利用するための画面を表示してユーザーからの指示を受け付けることができる。ステップＳ１０３において画面の表示を切り替えると、自動販売機１２０は、図５Ｂに示すステップＳ２０１の処理へ進む。ステップＳ２０１以降の処理については、後述する。
【００５１】
一方、操作の程度が第１閾値以下の場合（ステップＳ１０２：ＮＯ）、自動販売機１２０は、自機を利用するための操作が行われたか否かを判断する（ステップＳ１０４）。具体的には、自動販売機１２０の制御部１２１は、操作表示部１２５の画面において、自動販売機１２０の機能を利用するためのボタンのタッチ等の操作が受け付けられたか否かを判断する。
【００５２】
自動販売機１２０を利用するための操作が行われた場合（ステップＳ１０４：ＹＥＳ）、自動販売機１２０は、自機の機能である商品販売等の処理を実行する（ステップＳ１０５）。
【００５３】
続いて、自動販売機１２０は、第１閾値および起動時間を変更する（ステップＳ１０６）。具体的には、ステップＳ１０４において自機の処理が完了すると、自動販売機１２０の制御部１２１は、設定部として、記憶部１２２に記憶された第１閾値および起動時間の設定を変更する。第１閾値は、ステップＳ１０２において画面の表示を切り替えるか否かをフリック操作の程度により判断するための値である。起動時間は、画面の表示が画像形成装置１１０を利用するための画面に切り替わってから、画像形成装置１１０を自動的に起動させるまでにウェイトする時間を示す値である。本実施形態では、第１閾値は、画面の表示が切り替わりやすくなるように変更される。すなわち、第１閾値は、ステップＳ１０４において自動販売機１２０の処理が完了する前の値よりも小さい値に変更される。また、起動時間は、起動までのウェイト時間が短くなるように変更される。すなわち、起動時間は、ステップＳ１０４において自動販売機１２０の処理が完了する前の値よりも小さい値に変更される。第１閾値および起動時間の変更処理について、詳細は後述する。
【００５４】
続いて、自動販売機１２０は、従装置である画像形成装置１１０が起動状態であるか否かを判断する（ステップＳ１０７）。
【００５５】
画像形成装置１１０が起動状態でない場合（ステップＳ１０７：ＮＯ）、自動販売機１２０は、ステップＳ１０２の処理に戻る。
【００５６】
画像形成装置１１０が起動状態である場合（ステップＳ１０７：ＹＥＳ）、自動販売機１２０は、画像形成装置１１０がジョブを実行中であるか否かを判断する（ステップＳ１０８）。
【００５７】
ジョブを実行中である場合（ステップＳ１０８：ＹＥＳ）、自動販売機１２０は、ステップＳ１０２の処理に戻る。
【００５８】
ジョブを実行中でない場合（ステップＳ１０８：ＮＯ）、自動販売機１２０は、画像形成装置１１０の動作を停止させ（ステップＳ１０９）、ステップＳ１０２の処理に戻る。
【００５９】
一方、ステップＳ１０４の処理において、自動販売機１２０を利用するための操作が行われていない場合（ステップＳ１０４：ＮＯ）、自動販売機１２０は、その後一定時間経過するまで操作が行われない無操作状態であるか否かを判断する（ステップＳ１１０）。
【００６０】
無操作状態でない場合（ステップＳ１１０：ＮＯ）、すなわち、一定時間内に何らかの操作が行われた場合、自動販売機１２０は、ステップＳ１０７の処理に進む。
【００６１】
無操作状態である場合（ステップＳ１１０：ＹＥＳ）、自動販売機１２０は、自機および従装置である画像形成装置１１０のジョブが終了しているか否かを判断する（ステップＳ１１１）。
【００６２】
ジョブが終了している場合（ステップＳ１１１：ＹＥＳ）、自動販売機１２０は、画像形成装置１１０の動作を停止させる（ステップＳ１１２）。続いて、自動販売機１２０は、自機の動作を停止させて（ステップＳ１１３）、処理を終了する。
【００６３】
ジョブが終了していない場合（ステップＳ１１１：ＮＯ）、自動販売機１２０は、ステップＳ１０２の処理に戻る。
【００６４】
ステップＳ１０２の処理では、画面の表示を切り替えるための操作の程度が、第１閾値よりも大きいか否かが再び判断される。ここで、ステップＳ１０５の処理において第１閾値が小さい値に変更されている場合、操作の程度が第１閾値より大きいと判断されやすくなっている。すなわち、自動販売機１２０の処理が完了する前よりも、自動販売機１２０の処理が完了した後の方が、画面の表示が切り替わりやすくなっている。これにより、自動販売機１２０の処理が完了した後に画像形成装置１１０の処理を行うようにユーザーを誘導することができる。
【００６５】
次に、図５Ｂに示される処理について説明する。
【００６６】
図５Ｂに示すように、自動販売機１２０は、ステップＳ１０３において画像形成装置１１０を利用するための画面の表示に切り替えられてから、一定時間無操作状態であるか否かを判断する（ステップＳ２０１）。
【００６７】
無操作状態である場合（ステップＳ２０１：ＹＥＳ）、自動販売機１２０は、操作表示部１２５の画面の表示を切り替える（ステップＳ２０２）。具体的には、自動販売機１２０は、操作表示部１２５に表示される画面を、画像形成装置１１０を利用するための画面から自動販売機１２０を利用するための画面に切り替える。自動販売機１２０は、図５ＡのステップＳ１０２の処理に戻る。
【００６８】
無操作状態でない場合（ステップＳ２０１：ＮＯ）、自動販売機１２０は、画像形成装置１１０が起動状態であるか否かを判断する（ステップＳ２０３）。
【００６９】
画像形成装置１１０が起動状態である場合（ステップＳ２０３：ＹＥＳ）、自動販売機１２０は、画面の表示を切り替えるための操作が行われたか否かを確認すると共に、当該操作の程度が、第２閾値よりも大きいか否かを判断する（ステップＳ２０４）。ステップＳ２０４において操作の程度を判断する方法は、ステップＳ１０２における判断方法と同様である。
【００７０】
画面の表示を切り替えるための操作が行われており、当該操作の程度が第２閾値よりも大きい場合（ステップＳ２０４：ＹＥＳ）、自動販売機１２０は、ステップＳ２０２の処理に進む。ステップＳ２０２の処理において、自動販売機１２０は、操作表示部１２５に表示される画面を自動販売機１２０の画面に切り替え、図５ＡのステップＳ１０２の処理に戻る。
【００７１】
画面の表示を切り替えるための操作が行われていない、または当該操作の程度が第２閾値以下の場合（ステップＳ２０４：ＮＯ）、自動販売機１２０は、画像形成装置１１０を利用する操作が行われたか否かを判断する（ステップＳ２０５）。具体的には、自動販売機１２０の制御部１２１は、操作表示部１２５の画面において、画像形成装置１１０の機能を利用するためのボタンのタッチ等の操作が受け付けられたか否かを判断する。
【００７２】
画像形成装置１１０を利用するための操作が行われていない場合（ステップＳ２０５：ＮＯ）、自動販売機１２０は、ステップＳ２０１の処理に戻る。
【００７３】
画像形成装置１１０を利用するための操作が行われた場合（ステップＳ２０５：ＹＥＳ）、自動販売機１２０は、受け付けた操作に対応する指示を画像形成装置１１０に送信する。画像形成装置１１０は、自動販売機１２０から送信された指示に基づいて、自機の機能である印刷等の処理を実行する（ステップＳ２０６）。
【００７４】
続いて、自動販売機１２０は、第２閾値を変更し（ステップＳ２０７）、ステップＳ２０１の処理に戻る。具体的には、自動販売機１２０は、ステップＳ２０６において画像形成装置１１０の処理が完了すると、記憶部１２２に記憶された第２閾値を変更する。第２閾値は、画面の表示を切り替えるか否かをフリック操作の程度により判断するための値である。本実施形態において、第２閾値は、画面の表示が切り替わりやすくなるように変更される。すなわち、ステップＳ２０７において、第２閾値は、ステップＳ２０６で画像形成装置１１０の処理が完了する前の値よりも、小さい値に変更される。
【００７５】
ステップＳ２０３の処理において、画像形成装置１１０が起動状態でない場合（ステップＳ２０３：ＮＯ）、自動販売機１２０は、ステップＳ２０８の処理へ進む。
【００７６】
続いて、自動販売機１２０は、起動時間が経過するまで無操作状態であるかまたは画像形成装置１１０を利用するための操作が行われるか否かを判断する（ステップＳ２０８）。具体的には、自動販売機１２０は、操作表示部１２５における表示が画像形成装置１１０を利用するための画面に切り替わってから、記憶部１２２に記憶された起動時間が経過するまでの間、無操作状態であるか否かを判断する。さらに、自動販売機１２０は、画像形成装置１１０を利用するための操作が行われたか否かについても判断する。
【００７７】
起動時間が経過するまで無操作状態である場合、または画像形成装置１１０を利用するための操作が行われた場合（ステップＳ２０８：ＹＥＳ）、自動販売機１２０は、画像形成装置１１０に起動指示を送信する。画像形成装置１１０は、自動販売機１２０から送信された起動指示に基づいて起動状態となる（ステップＳ２０９）。ここで、図５Ａのステップ１０６において、起動時間の値が小さい値に変更されている場合、より短時間で画像形成装置１１０が起動されることになる。すなわち、自動販売機１２０の処理が完了する前よりも、自動販売機１２０の処理が完了した後の方が、より短時間で画像形成装置１１０が起動されることになる。
【００７８】
一方、起動時間が経過するまで無操作状態でなく、画像形成装置１１０を利用するための操作も行われていない場合（ステップＳ２０８：ＮＯ）、自動販売機１２０は、ステップＳ２１０の処理に進む。
【００７９】
続いて、自動販売機１２０は、画面の表示を切り替えるための操作が行われたか否かを確認すると共に、当該操作の程度が、第２閾値よりも大きいか否かを判断する（ステップＳ２１０）。ステップＳ２１０において操作の程度を判断する方法は、ステップＳ１０２における判断方法と同様である。
【００８０】
画面の表示を切り替えるための操作が行われており、当該操作の程度が第２閾値よりも大きい場合（ステップＳ２１０：ＹＥＳ）、自動販売機１２０は、ステップＳ２０２の処理に進む。ステップＳ２０２の処理において、自動販売機１２０は、操作表示部１２５に表示される画面を自動販売機１２０の画面に切り替え、図５ＡのステップＳ１０２の処理に戻る。
【００８１】
一方、画面の表示を切り替えるための操作が行われていない、または当該操作の程度が第２閾値以下の場合（ステップＳ２１０：ＮＯ）、自動販売機１２０は、ステップＳ２０８の処理に戻る。
【００８２】
＜閾値変更処理＞
図６は、閾値変更処理の一例を説明するための図である。
【００８３】
図６の例では、自動販売機１２０を利用するための自動販売機画面と、画像形成装置１１０を利用するための画像形成装置画面とが、図中の点線矢印で示すようにフリック操作によって切り替えられる。フリック操作の程度を示す値としては、フリック操作におけるスライドの距離が使用されているものとする。
【００８４】
まず、図６に示すように、自動販売機１２０の処理が完了する前であるＡの時点では、第１閾値は５ｃｍに設定されている。そのため、フリック操作のスライドの距離が５ｃｍを超えた場合に、自動販売機画面から画像形成装置画面に切り替えられる。
【００８５】
一方、自動販売機１２０の処理が完了し、第１閾値が変更された後であるＢの時点では、第１閾値は３ｃｍに設定されている。そのため、フリック操作のスライドの距離が３ｃｍを超えた場合に、自動販売機画面から画像形成装置画面に切り替えられる。
【００８６】
したがって、自動販売機１２０の処理が完了する前よりも、自動販売機１２０の処理が完了した後の方が、短いスライド距離によって画面を切り替えられるため、画面が切り替わりやすくなっている。
【００８７】
また、画像形成装置１１０の処理が完了する前であるＣの時点では、第２閾値は５ｃｍに設定されている。そのため、フリック操作のスライドの距離が５ｃｍを超えた場合に、画像形成装置画面から自動販売機画面に画面が切り替えられる。
【００８８】
一方、画像形成装置１１０の処理が完了した後であるＤの時点では、第２閾値は３ｃｍに変更されている。そのため、フリック操作のスライドの距離が３ｃｍを超えた場合に、画像形成装置画面から自動販売機画面に切り替えられる。
【００８９】
したがって、画像形成装置１１０の処理が完了する前よりも、画像形成装置１１０の処理が完了した後の方が、短いスライド距離によって画面を切り替えられるため、画面が切り替わりやすくなっている。また、Ｂの時点で自動販売機画面から画像形成装置画面に切り替わるための第１閾値よりも、Ｃの時点で画像形成装置画面から自動販売機画面に切り替わるための第２閾値の方が大きい。これにより、自動販売機画面から画像形成装置画面に切り替わった際、自動販売機画面に戻りにくくすることができ、ユーザーが画像形成装置１１０の処理を完了させてから自動販売機画面に戻るように誘導できる。
【００９０】
このように各装置の処理の進行に応じて画面を切り替えるための閾値を変更することにより、ユーザーを望ましい処理フローに誘導することができる。
【００９１】
＜起動時間変更処理＞
図７は、起動時間変更処理の一例を説明するための図である。
【００９２】
図７の例では、自動販売機画面と、画像形成装置画面とが、図中の点線矢印で示すようにフリック操作によって切り替えられる。画像形成装置画面に切り替えられてから、所定の起動時間が経過後に、画像形成装置１１０は起動状態となる。
【００９３】
まず、図７に示すように、自動販売機１２０の処理が完了する前であるＡの時点では、起動時間は４秒に設定されている。そのため、画像形成装置画面に切り替えられてから４秒経過後に、画像形成装置１１０は起動状態となる。
【００９４】
一方、自動販売機１２０の処理が完了した後であるＢの時点では、起動時間は２秒に変更されている。そのため、画像形成装置画面に切り替えられてから２秒経過後に、画像形成装置１１０は起動状態となる。
【００９５】
したがって、自動販売機１２０の処理が完了する前よりも、自動販売機１２０の処理が完了した後の方が、画像形成装置画面に切り替えられてから画像形成装置１１０が起動状態となるまでの時間が短くなっている。このように、各装置の処理の進行に応じて、画面が切り替えられてからの装置の起動時間を変更することにより、省電力化を図りつつ、ユーザーの操作性を向上させることができる。
【００９６】
以上のように、本実施形態の表示システムによれば、操作の程度によって画面の表示を切り替えるか否かを判断するための閾値を、処理の進行に応じて設定し、操作の程度が閾値を超えると画面の表示を切り替える。これにより、複数の処理を行う装置において、各処理を利用するための画面を切り替える操作を一律でなくすることができ、ユーザーを理想的な処理フローに導くことができる。
【００９７】
また、表示システムは、自動販売機１２０を利用するための画面を、画像形成装置１１０を利用するための画面に切り替える際の第１閾値を、自動販売機１２０を利用する前よりも利用した後の方が、画面が切り替わりやすくなるように変更する。これにより、ユーザーが意識することなく、自動販売機１２０を利用してから画像形成装置１１０を利用するようにユーザーを誘導することができる。
【００９８】
また、表示システムは、画像形成装置１１０を利用するための画面を、自動販売機１２０を利用するための画面に切り替える際の第２閾値を、画像形成装置１１０を利用する前よりも利用した後の方が、画面が切り替わりやすくなるように変更する。これにより、ユーザーが意識することなく、画像形成装置１１０を利用してから自動販売機１２０を利用するようにユーザーを誘導することができる。
【００９９】
また、表示システムにおいては、ユーザーや管理者等が第１閾値および第２閾値の値を変更可能である。これにより、より柔軟にユーザーの処理フローを誘導することができる。
【０１００】
また、表示システムは、自動販売機１２０を利用するための画面から画像形成装置１１０を利用するための画面への切り替えに応じて、画像形成装置１１０を起動状態にする。これにより、画面が切り替わり画像形成装置１１０が使用される際に画像形成装置１１０が自動的に起動されるため、省電力化を図りつつ、ユーザーの操作性を向上させることができる。
【０１０１】
また、表示システムは、画面の切り替えから所定の起動時間が経過した後に画像形成装置１１０を起動状態にする。これにより、たとえばユーザーが誤操作により画面を切り替えてしまった場合でも、すぐに画面を切り戻すことにより画像形成装置１１０の無駄な起動を防ぐことができる。したがって、より一層省電力化を図ることができる。また、誤って起動した画像形成装置１１０をユーザーが停止させる必要もなくなるため、ユーザーの手間を省くこともできる。
【０１０２】
また、表示システムは、自動販売機１２０の処理の進行に応じて画面切り替え後に所定の起動時間を変更する。これにより、ユーザーの操作の状況に応じて起動時間が変更されるため、より効果的に省電力化と操作性の向上を図ることができる。
【０１０３】
また、表示システムにおいては、ユーザーや管理者等が起動時間の値を変更可能である。これにより、より柔軟に装置の駆動状態を制御でき、より適切に省電力化や操作性の向上を図ることができる。
【０１０４】
また、表示システムは、自動販売機１２０の処理が完了していない場合には、起動時間を長く設定し、自動販売機１２０の処理が完了している場合には、起動時間を短く設定する。自動販売機１２０の処理が完了していない場合には、画面切り替え後に画像形成装置１１０が起動するまでの時間が長くなるため、誤操作による画像形成装置１１０の無駄な起動をより一層抑止できる。また、自動販売機１２０の処理が完了している場合には、画面切り替え後に画像形成装置１１０が起動するまでの時間が短くなるため、ユーザーが自動販売機１２０の処理を行った後に画像形成装置１１０の処理を行うように誘導することができる。
【０１０５】
また、表示システムは、自動販売機１２０を利用するための画面を通常時の表示画面とし、画像形成装置１１０を利用するための画面が表示された状態で一定時間処理が行われなかった場合、自動販売機１２０を利用するための画面に切り替える。これにより、ユーザーが自動販売機１２０を利用してから画像形成装置１１０を利用するように、ユーザーの処理フローを誘導することができる。
【０１０６】
＜変形例＞
本発明は、上述した実施形態のみに限定されるものではなく、特許請求の範囲内において、種々改変することができる。
【０１０７】
たとえば、上記の実施形態では、フリック操作の程度を示す値として、スライドの距離を使用する例を説明したが、これに限定されない。たとえば、スライドの速度、時間、圧力等の他の値を使用してもよく、複数の値を組み合わせてフリックの程度を判断してもよい。
【０１０８】
また、上記の実施形態では、タッチパネルディスプレイにおける画面切り替えのための操作として、フリック操作を用いる例について説明したが、これに限定されない。たとえば、複数箇所におけるマルチタッチを含むタッチ操作や、各種ジェスチャー操作等を画面切り替えのための操作として使用してもよい。
【０１０９】
また、上記の実施形態では、操作表示部１２５は、タッチパネル式のディスプレイやボタン等を用いるものとして説明したが、これに限定されない。操作表示部１２５として、多種多様なユーザーインターフェース装置を用いることができる。たとえば、操作表示部１２５は、各種カメラによりユーザーの視線を検出し、ユーザーの視線による操作を受け付けるものであってもよい。この場合、操作の程度は、視線（眼球）の動く速度や移動距離、移動角度、特定の地点での停止時間等により判断される。また、操作表示部１２５は、マイクによりユーザーの声を検出し、音声による操作を受け付けるものであってもよい。この場合、操作の程度は、音の大きさ、高さ、長さ、あるいは音声解析の結果得られる音声の内容等により判断される。また、操作表示部１２５は、各種カメラやセンサーによりユーザーの動きを検出するモーションキャプチャを行う装置を有し、ユーザーの動きにより操作を受け付けるものであってもよい。この場合、操作の程度は、動きの速度や大きさ、距離、あるいはジェスチャー認識により得られるジェスチャーの内容等により判断される。また、操作表示部１２５は、非接触ＩＣカードリーダーや赤外線受光部等の外部機器と通信するための機器を有し、外部機器との通信により操作を受け付けるものであってもよい。この場合、操作の程度は、外部機器から受信する信号の種類や、受信強度や受信時間等により判断される。あるいは、操作表示部１２５は、脳波等の各種生体信号を取得するセンサー等の機器を有し、生体信号を利用した操作を可能とする装置であってもよい。この場合、操作の程度は、生体信号の種類やパターン、強度等の各種パラーメーターにより判断される。
【０１１０】
また、上記の実施形態では、操作の程度を示す値が各閾値を超えた場合に画面の表示を切り替えるものとして説明したが、これに限定されない。操作の程度を示す値が各閾値を下回った場合に画面の表示を切り替えるようにしてもよい。
【０１１１】
また、上記の実施形態では、処理が完了する前と処理が完了した後とで閾値を２段階に変更する例について説明したが、これに限定されない。閾値は、処理の進行度合いに応じて多段階に変更されるようにしてもよい。
【０１１２】
また、上記の実施形態では、画像形成装置１１０を利用するための画面は、自動販売機１２０により提供されるものとして説明したが、これに限定されない。画像形成装置１１０が起動しているときは、画像形成装置１１０を利用するための画面を画像形成装置１１０自体が提供するようにしてもよい。これにより、たとえば画像形成装置１１０の機能が変更された場合でも、画像形成装置１１０を利用するための画面は画像形成装置１１０自身が提供するため、自動販売機１２０への影響を少なくすることができる。
【０１１３】
また、上記の実施形態では、起動時間等によって画像形成装置１１０の起動や停止を制御する例について説明したが、起動や停止の制御だけに限定されない。画像形成装置１１０の起動や停止に加えて、スタンバイモードやスリープモード、省電力モード等の実行や各モードからの復旧等、装置の様々な駆動状態を制御することができる。
【０１１４】
また、上記の実施形態では、画像形成装置１１０を利用するための画面が表示された状態で一定時間処理が行われなかった場合、自動販売機１２０を利用するための画面に切り替えるものとして説明したが、この一定時間を処理の進行に応じて変更してもよい。たとえば、自動販売機１２０の処理が完了していない場合には一定時間を短く設定し、自動販売機１２０の処理が完了している場合には一定時間を長く設定してもよい。これにより、自動販売機１２０の処理が完了していない場合には、自動販売機１２０を利用するための画面に戻るまでの時間が短くなる。また、自動販売機１２０の処理が完了している場合には、自動販売機１２０を利用するための画面に戻るまでの時間が長くなる。したがって、より効果的にユーザーの処理フローを誘導することができる。
【０１１５】
また、上記の実施形態では、自動販売機１２０の処理が完了していない場合には、起動時間を長く設定し、自動販売機１２０の処理が完了している場合には、起動時間を短く設定する例について説明したが、これに限定されない。上記の例とは逆に、自動販売機１２０の処理が完了していない場合には、起動時間を短く設定し、自動販売機１２０の処理が完了している場合には、起動時間を長く設定してもよい。以下、詳細に説明する。
【０１１６】
図８は、起動時間変更処理の他の例を説明するための図である。
【０１１７】
図８に示すように、自動販売機１２０の処理が完了する前であるＡの時点では、画像形成装置１１０を起動させるまでの起動時間は２秒に設定されている。一方、自動販売機１２０の処理が完了した後であるＢの時点では、画像形成装置１１０を起動させるまでの起動時間は４秒に変更されている。このように設定する利点について以下に説明する。自動販売機１２０の処理が完了していない場合には、画面の切り替えを判断するための閾値が大きいため、画像形成装置１１０の画面に切り替えるためには、その大きな閾値を超えるような操作が必要である。したがって、そのような操作によって画面が切り替えられたということは、ユーザーは画像形成装置１１０を使用する明確な意志を持って画面を切り替えたと考えられる。その場合には、画面の切り替え後に画像形成装置１１０が起動するまでの時間を短く設定することにより、ユーザーは迅速に画像形成装置１１０を利用できるため、ユーザーの操作性を向上させることができる。
【０１１８】
また、上記の実施形態では、画面の切り替えは、図４に示すように二つの画面を左右にスライドさせて行うものとして説明したが、これに限定されない。たとえば、左右へのスライドだけでなく、左右を含むいかなる方向に画面をスライドさせて切り替えてもよい。また、スライドに限らず、いかなる方法で画面の切り替えを行ってもよい。以下、画面の切り替え方法の例について説明する。
【０１１９】
図９〜図１２は、画面表示の切り替え方法の他の例を説明するための図である。
【０１２０】
図９に示すように、各画面が占有する面積の割合を変更することによって画面の切り替えが行われてもよい。
【０１２１】
また、図１０に示すように、各画面における操作の受け付け可否を変更し、アクティブな画面と非アクティブな画面とを切り替えたり、各画面の明度や彩度等の表現を変更したりすることによって画面の切り替えが行われてもよい。
【０１２２】
また、図１１に示すように、各画面の操作表示部１２５上における前後の関係を変更したり、各画面の表示部分と非表示部分の割合を変更したりすることによって画面の切り替えが行われてもよい。
【０１２３】
また、図１２に示すように、各画面の操作表示部１２５上における表裏の関係を変更することによって画面の切り替えが行われてもよい。
【０１２４】
また、特定の画面において強調表示を行い、強調表示が行われる画面を変更することによって画面の切り替えが行われてもよい。
【０１２５】
画面の切り替えは、画面切り替えの遷移がわかるように徐々に段階的に切り替わるようにしてもよく、あるいは、迅速に画面切り替えが行われるように、瞬時に切り替わるようにしてもよい。
【０１２６】
また、上記の実施形態では、二つの処理を利用するための二つの画面を切り替える例について説明したが、これに限定されない。三つ以上の処理を利用するための三つ以上の画面を相互に切り替える際に、本実施形態の方法が適用されてもよい。
【０１２７】
＜第２実施形態＞
第１実施形態では、表示システムは、主装置である自動販売機１２０および従装置である画像形成装置１１０の二つの装置から構成される例について説明した。しかし、表示システムの構成はこれに限定されない。二つの装置の関係は主従の関係でなく、それぞれ独立した並列的な関係であってもよい。また、表示システムを構成する装置は自動販売機や画像形成装置に限定されるものではなく、いかなる電子装置から構成されてもよい。さらに、表示システムは、たとえば、複数の機能を有する単一の装置であってもよい。この場合、二つの機能を利用するための各画面が、単一の装置の画面において切り替えられる。第２実施形態では、表示システムが、複数の機能を有する単一の装置である場合について説明する。なお、第１実施形態の表示システムと同様の構成については、同じ参照番号を付し、その説明を省略する。
【０１２８】
図１３は、第２実施形態に係る表示システムのハードウェア構成を示すブロック図である。
【０１２９】
図１３に示すように、表示システムは画像形成装置２１０であり、制御部１１１、記憶部１１２、画像読取部１１３、画像形成部１１４、認証部１１５および操作表示部１１７を備えている。画像形成装置２１０の構成は、図３に示す第１実施形態の画像形成装置１１０と基本的に同様であり、通信部１１６の替わりに操作表示部１１７を有する点のみが画像形成装置１１０と異なる。
【０１３０】
操作表示部１１７は、第１実施形態の自動販売機１２０における操作表示部１２５と同様の構成である。操作表示部１１７には、画像形成装置２１０が有する各機能を利用するための各画面が表示される。操作表示部１１７は、各画面の表示を切り替えるための操作や各機能を利用するための操作を受け付ける。
【０１３１】
本実施形態では、制御部１１１は、表示制御装置として、操作表示部１１７に各種画面を表示させると共に、表示される画面の切り替えを制御する。
【０１３２】
次に、画像形成装置２１０が有する複数の機能について説明する。
【０１３３】
図１４は、図１３に示される画像形成装置の機能構成を示すブロック図である。
【０１３４】
図１４に示すように、画像形成装置２１０は、スキャン部２１１、コピー部２１２、プリント部２１３およびボックス部２１４等の複数の機能を有する。このため、画像形成装置２１０の記憶部１１２には、スキャン部２１１、コピー部２１２、プリント部２１３およびボックス部２１４に対応するプログラムが記憶されている。上記の画像形成装置２１０の各機能は、それぞれに対応するプログラムを制御部１１１が実行することにより発揮される。
【０１３５】
スキャン部２１１は、画像読取部１１３によって原稿画像を読み取り、原稿画像に対応する画像データを生成するスキャン機能を有する。
【０１３６】
コピー部２１２は、画像読取部１１３において原稿画像から画像データを生成し、画像形成部１１４において画像データに基づく画像を用紙等に形成し、原稿画像を複製するコピー機能を有する。
【０１３７】
プリント部２１３は、印刷ジョブ等に含まれる印刷データに基づいて画像データを生成し、画像形成部１１４において画像データに基づく画像を用紙等に形成し、印刷ジョブの印刷を行うプリント機能を有する。
【０１３８】
ボックス部２１４は、画像形成装置２１０において利用された各種画像データ等を記憶部１１２に格納し、ユーザーが必要な時に各種画像データ等を取り出して利用可能とするボックス機能を有する。
【０１３９】
次に、第２実施形態の表示システム、すなわち画像形成装置２１０において実行される表示制御処理について説明する。以下では、画像形成装置２１０の操作表示部１１７において、スキャン機能を利用するための画面から、ボックス機能を利用するための画面に切り替える場合を例に挙げて説明する。
【０１４０】
第２実施形態の表示システムにおいて実行される表示制御処理は、図５Ａおよび図５Ｂに示される第１実施形態の表示システムの表示制御処理と基本的に同様である。第２実施形態では、図５Ａおよび図５Ｂのフローチャートに示されるアルゴリズムは、画像形成装置１１０の記憶部１１２にプログラムとして記憶されており、制御部１１１によって実行される。第２実施形態では、図５Ａおよび図５Ｂの「主」はスキャン機能に対応し、「従」はボックス機能に対応する。
【０１４１】
図５Ａに示すように、まず、画像形成装置２１０はスキャン機能を起動状態とし、スキャン機能を利用するための画面を操作表示部１１７に表示する（ステップＳ１０１）。
【０１４２】
続いて、画像形成装置２１０は、画面の表示を切り替えるための操作の程度が、第１閾値よりも大きいか否かを判断する（ステップＳ１０２）。この時点では、第１閾値は変更前の大きい値であり、操作の程度が第１閾値より大きくなりにくいため、画面の表示は切り替わりにくい。ここでは、画面の表示を切り替えるための操作の程度が、第１閾値以下である（ステップＳ１０２：ＮＯ）ものとして説明する。
【０１４３】
続いて、スキャン機能の処理を実行する操作が行われると（ステップＳ１０４：ＹＥＳ）、画像形成装置２１０はスキャン部２１１によってスキャン処理を実行する（ステップＳ１０５）。スキャン処理が完了すると、画像形成装置２１０は、第１閾値および起動時間を変更する（ステップＳ１０６）。
【０１４４】
続いて、画像形成装置２１０は、ステップＳ１０７〜Ｓ１０９の処理を経て、再びステップＳ１０２の処理に戻り、画面の表示を切り替えるための操作の程度が、第１閾値よりも大きいか否かを判断する。ここで、ステップＳ１０５の処理において第１閾値が小さい値に変更されている場合、操作の程度が第１閾値より大きいと判断されやすくなっている。すなわち、スキャン機能の処理が完了する前よりも、スキャン機能の処理が完了した後の方が、ボックス機能を利用するための画面に切り替わりやすくなっている。これにより、スキャン機能の処理が完了した後にボックス機能の処理を行うようにユーザーを誘導することができる。
【０１４５】
また、図５Ｂに示すように、画像形成装置２１０は、ステップＳ１０３においてボックス機能を利用するための画面の表示に切り替えられてから、一定時間無操作状態であるか否かを判断する（ステップＳ２０１）。
【０１４６】
無操作状態である場合（ステップＳ２０１：ＹＥＳ）、画像形成装置２１０は、操作表示部１１７の表示を、スキャン機能を利用するための画面に切り替えてもよく、他の画面に切り替えてもよい。
【０１４７】
無操作状態でない場合（ステップＳ２０１：ＮＯ）、画像形成装置２１０は、ボックス機能が起動状態であるか、すなわちボックス機能の処理プロセスや記憶ドライブ等のハードウェアが起動状態であるか否かを判断する（ステップＳ２０３）。
【０１４８】
ボックス機能が起動状態である場合（ステップＳ２０３：ＹＥＳ）、画像形成装置２１０は、画面の表示を切り替えるための操作が行われたか否かを確認すると共に、当該操作の程度が、第２閾値よりも大きいか否かを判断する（ステップＳ２０４）。この時点では、第２閾値は変更前の大きい値であり、操作の程度が第２閾値より大きくなりにくいため、画面の表示は切り替わりにくい。ここでは、画面の表示を切り替えるための操作の程度が、第２閾値以下である（ステップＳ２０４：ＮＯ）ものとして説明する。
【０１４９】
続いて、ボックス機能の処理を実行する操作が行われると（ステップＳ２０５：ＹＥＳ）、画像形成装置２１０はボックス部２１４によってボックス機能の記憶処理等を実行する（ステップＳ２０６）。ボックス機能の処理が完了すると、画像形成装置２１０は、第２閾値を変更する（ステップＳ２０７）。
【０１５０】
ボックス機能が起動状態でない場合（ステップＳ２０３：ＮＯ）、画像形成装置２１０は、所定の起動時間が経過するまで無操作状態であるか、またはボックス機能を利用するための操作が行われるか否かを判断する（ステップＳ２０８）。
【０１５１】
起動時間が経過するまで無操作状態である場合、またはボックス機能を利用するための操作が行われた場合（ステップＳ２０８：ＹＥＳ）、画像形成装置２１０は、ボックス機能を起動状態とし、ステップＳ２０４の処理へ進む。
【０１５２】
一方、起動時間が経過するまで無操作状態でなく、ボックス機能を利用するための操作も行われていない場合（ステップＳ２０８：ＮＯ）、画像形成装置２１０は、ステップＳ２１０の処理に進む。
【０１５３】
続いて、画像形成装置２１０は、画面の表示を切り替えるための操作が行われたか否かを確認すると共に、当該操作の程度が、第２閾値よりも大きいか否かを判断する（ステップＳ２１０）。
【０１５４】
画面の表示を切り替えるための操作が行われており、当該操作の程度が第２閾値よりも大きい場合（ステップＳ２１０：ＹＥＳ）、画像形成装置２１０は、ステップＳ２０２の処理に進む。ステップＳ２０２の処理において、画像形成装置２１０は、操作表示部１１７に表示される画面をスキャン機能の画面等に切り替え、図５ＡのステップＳ１０２の処理に戻る。
【０１５５】
一方、画面の表示を切り替えるための操作が行われていない、または当該操作の程度が第２閾値以下の場合（ステップＳ２１０：ＮＯ）、画像形成装置２１０は、ステップＳ２０８の処理に戻る。
【０１５６】
以上のように、第２実施形態の表示システムによれば、二つ以上の処理を共通の操作表示部１１７において指示可能な単一の装置において、処理の進行に応じて画面を切り替えるための閾値や起動時間を変更する。これにより、ユーザーを理想的な処理フローに導くことができる。
【０１５７】
上述した実施形態に係る表示システムにおける各種処理を行う手段および方法は、専用のハードウェア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、表示システムの一機能としてその装置のソフトウェアに組み込まれてもよい。
【符号の説明】
【０１５８】
１１０、２１０  画像形成装置、
１１１  制御部、
１１２  記憶部、
１１３  画像読取部、
１１４  画像形成部、
１１５  認証部、
１１６  通信部、
１１７  操作表示部、
１２０  自動販売機、
１２１  制御部、
１２２  記憶部、
１２３  貯蔵部、
１２４  加熱冷却部、
１２５  操作表示部、
１２６  通信部。
【図１】
2016224726.tif 000003
【図２】
2016224726.tif 000004
【図３】
2016224726.tif 000005
【図４】
2016224726.tif 000006
【図５Ａ】
2016224726.tif 000007
【図５Ｂ】
2016224726.tif 000008
【図６】
2016224726.tif 000009
【図７】
2016224726.tif 000010
【図８】
2016224726.tif 000011
【図９】
2016224726.tif 000012
【図１０】
2016224726.tif 000013
【図１１】
2016224726.tif 000014
【図１２】
2016224726.tif 000015
【図１３】
2016224726.tif 000016
【図１４】
2016224726.tif 000017